(57)【要約】【課題】このガス抜け状態を的確に把握して、適切な対応をとることにより、長期間安定した性能を発揮出来るアキュムレータを提供することを目的とする。【解決手段】略カップ形状の金属材製のシェルと、前記シェルの開口部を塞ぐとともに該開口部にかしめ固定された蓋部材と、前記シェル内に配置されたゴム状弾性材製ブラダとからなり、前記シェルと前記ブラダとによって囲まれる気体室には前記シェルの頂部に設けた気体封入孔を介して圧縮気体が封入され、前記蓋部材とブラダとによって囲まれる液体室には、前記蓋部材に設けた液体導入孔を介して外部から液体が導入されるアキュムレータにおいて、前記気体封入孔を封止しているガスバルブが、前記ブラダの押圧力により、軸方向移動可能になっていることを特徴とする。【選択図】  図１
2010007802.tif 000002
【特許請求の範囲】
【請求項１】
略カップ形状の金属材製のシェル（１）と、前記シェル（１）の開口部を塞ぐとともに該開口部にかしめ固定された蓋部材（２）と、前記シェル（１）内に配置され、略カップ形状であって、その開口部が前記シェルの開口部近傍に液密に保持されているゴム状弾性材製ブラダ（３）とからなり、前記シェル（１）と前記ブラダ（３）とによって囲まれる気体室（４）には前記シェル（１）の頂部（７）に設けた気体封入孔（８）を介して圧縮気体が封入され、前記蓋部材（２）とブラダ（３）とによって囲まれる液体室（５）には、前記蓋部材に設けた液体導入孔（６）を介して外部から液体が導入されるアキュムレータにおいて、前記気体封入孔（８）を封止しているガスバルブ（９）が、前記ブラダ（３）の押圧力により、軸方向移動可能になっていることを特徴とするアキュムレータ。
【請求項２】
前記ガスバルブ（９）は、ロッド（９１）と、前記ロッド（９１）の外周面（９１１）と前記気体封入孔（８）との間隙を軸方向移動可能に封止している密封手段（９２）と、前記ロッド（９１）を前記気体室（４）に押圧しているバネ手段（９３）と、前記ロッド（９１）の前記気体室（４）側への移動を規制しているストッパ（９４）とを備えていることを特徴とする請求項１記載のアキュムレータ。
【請求項３】
前記ロッド（９１）の大気側には、くびれ部（９５）が設けられると共に、前記ロッド（９１）の大気側端部に止め手段（９６）が配置されていることを特徴とする請求項２記載のアキュムレータ。
【請求項４】
前記密封手段（９２）が、ゴム状弾製材製のＯリングであることを特徴とする請求項２または３記載のアキュムレータ。
【請求項５】
前記Ｏリングが、前記シェル（１）の前記気体封入孔（８）に、かしめ固定されたブッシュ（９７）の内周面に設けた環状溝（９７１）に保持されていることを特徴とする請求項４記載のアキュムレータ。
【請求項６】
前記ロッド（９１）の前記気体室（４）側の端部（９１２）が、前記ブラダ（３）の頂部（３１）により押圧されることにより、前記ロッド（９１）が大気側に押し出されることを特徴とする請求項２〜５のいずれか一項に記載のアキュムレータ。
【発明の詳細な説明】
【技術分野】
【０００１】
本発明は、アキュムレータに関する。
また、本発明は、シェルの耐圧性を高めた、水用ポンプの蓄圧用として用いて有用なアキュムレータに関する。
更に、本発明は、上水や井戸水の蓄圧、衝撃・脈動吸収、配管の温度膨張補償、免震装置の圧力・容積・ショック吸収に有用なアキュムレータに関する。
【０００２】
更にまた、本発明は、長期間、圧力変動の大きな雰囲気で使用した場合のガス抜けが、容易に把握出来るアキュムレータに関する。
【背景技術】
【０００３】
従来、第５図に記載のアキュムレータが知られている。
この種アキュムレータは、略カップ形状の金属材製のシェル１００と、該シェルの開口部を塞ぐ様にシェルにかしめ固定された蓋部材２００とにより形成された空間内に配置されているゴム状弾性材製ブラダ３００とにより構成されている。このブラダ３００は、略カップ形状であって、その開口部に設けた取付フランジ部がシェル１００と蓋部材２００との間で液密に挟持されている。
【０００４】
そして、シェル１００の頂部７００は平坦な面となっており、この頂部７００に気体封入孔８００が設けられている。
この気体封入孔８００を介して、シェル１００とブラダ３００とに囲まれる気体室４００に圧縮気体が注入される。
そして気体封入孔８００はガスプラグ９００により塞がれている。
【０００５】
このガスプラグ９００とシェル１００の頂部７００との間にはゴム状弾性材製のО―リング５００が介在して、気体室４００からの気体の漏洩を防いでいる。
この様な構造のアキュムレータでは、シェル１００の気体室４００内に適正な封入ガスが残存しているか否か確かめる手段が無かった。
【０００６】
また、ガスプラグ９００の代わりにガスバルブを使用した態様のアキュムレータにおいては、機器を停止して、流体圧力をゼロにしてから、気体室４００内に適正な封入ガスが残存しているか否かを確かめなければならなかった。
このため、アキュムレータのメンテナンス時期を逸し、アキュムレータの機能が十分発揮出来ていない状態で、使用を継続する問題が惹起していた。
【０００７】
【特許文献１】実開平７−２９３０３号公報
【発明の開示】
【発明が解決しようとする課題】
【０００８】
本発明は、このような課題に鑑みてなされたものであり、通常、アキュムレータを、長期間、圧力変動の大きな雰囲気で使用すると、ガス抜けを引き起こす危険性がり、このガス抜け状態を的確に把握して、適切な対応をとることにより、長期間安定した性能を発揮出来るアキュムレータを提供することを目的とする。
【０００９】
また、本発明は、緩衝性能を損なうことなく、長期間安定した性能を発揮出来るアキュムレータを提供することを目的とする。
【課題を解決するための手段】
【００１０】
本発明のアキュムレータは、略カップ形状の金属材製のシェルと、前記シェルの開口部を塞ぐとともに該開口部にかしめ固定された蓋部材と、前記シェル内に配置され、略カップ形状であって、その開口部が前記シェルの開口部近傍に液密に保持されているゴム状弾性材製ブラダとからなり、前記シェルと前記ブラダとによって囲まれる気体室には前記シェルの頂部に設けた気体封入孔を介して圧縮気体が封入され、前記蓋部材とブラダとによって囲まれる液体室には、前記蓋部材に設けた液体導入孔を介して外部から液体が導入されるアキュムレータにおいて、前記気体封入孔を封止しているガスバルブが、前記ブラダの押圧力により、軸方向移動可能になっていることを特徴とするものである。
【発明の効果】
【００１１】
本発明は、以下に記載されるような効果を奏する。
請求項１記載の発明のアキュムレータによれば、長期間、圧力変動の大きな雰囲気で使用すると、ガス抜けを引き起こす危険性があるが、このガス抜け状態を的確に把握して、適切な対応が取れる為、長期間安定した性能を発揮することが出来る。
また、請求項２記載の発明のアキュムレータによれば、簡単な構造で、ガス抜け状態を的確に把握できる。
【００１２】
更に、請求項３記載の発明のアキュムレータによれば、ガスの封入をするための、ガスバルブとしても機能する。
また、請求項４記載の発明のアキュムレータによれば、ガスバルブとシェルとの間隙の密封を確実に達成することが出来る。
【００１３】
また、請求項５記載の発明のアキュムレータによれば、シェルの肉厚が薄い構造のものにも適用出来る。
また、請求項６記載の発明のアキュムレータによれば、緩衝性能を損なうことなく、長期間安定した性能を発揮出来る。
【発明を実施するための最良の形態】
【００１４】
以下、本発明を実施するための最良の形態について、第１図乃至第4図に基づき説明する。
図１は、発明の実施の形態を示す断面図である。
図２は、図１の部分拡大図である。
図３は、アキュムレータ内へガスを封入する際の状態を、図２と同様に示した図である。
図４は、図１の状態から、ガス抜けが起き、ブラダにより、ガスバルブが押し上げられた状態を示した図である。
【００１５】
図１及び図２において、本発明に係るアキュムレータは、略カップ形状の金属材製のシェル１と、該シェル１の開口部を塞ぐ様にシェル１にかしめ固定された蓋部材２とにより形成された空間内に配置されているゴム状弾性材製ブラダ３とにより構成されている。
【００１６】
そして、このブラダ３により、シェル１内は、圧縮性流体である窒素ガスが気体封入孔８から封入されている気体室４と、外部から液体が導入される液体室５とに区分けされている。
シェル１の頂部７に設けられた気体封入孔８には、ガスバルブ９が差し込まれ、気体室４からの気体の漏洩を防止している。
このガスバルブ９は、ロッド９１と、このロッド９１の外周面９１１と気体封入孔８との間隙を軸方向移動可能に封止している密封手段９２と、ロッド９１を気体室４側に押圧しているバネ手段９３と、ロッド９１の気体室４側への移動を規制しているストッパ９４とを備えている。
【００１７】
また、ロッド９１の大気側には、くびれ部９５が設けられると共に、ロッド９１の大気側端部に止め手段９６が配置されている。
また、密封手段９２は、ゴム状弾製材製のＯリングである。
そして、このＯリングは、シェル１の気体封入孔８に、かしめ固定されたブッシュ９７の内周面に設けた環状溝９７１に保持される態様としたが、シェル１の肉厚が厚い場合は、シェル１に設けた溝に保持される態様としても良い。
【００１８】
更に、このブッシュ９７とシェル１との間には、ゴム状弾製材製のＯリングが挟持され、この間の気密性を維持している。
そして、アキュムレータを、長期間、圧力変動の大きな雰囲気で使用すると、気体室４内のガス抜ける。
この結果、ブラダ３が、図４に示す様に膨張し、ロッド９１の気体室４側の端部９１２が、ブラダ３の頂部３１により押圧される。
このため、ロッド９１は、大気側に押し出され、外部から、気体室４内のガスが抜けたことが判別できる。
【００１９】
アキュムレータ内に気体を封入する場合は、第３図に示す様に、ストッパ９４を取り外し、止め手段９６をブッシュ９７に当接させた状態で、くびれ部９５とブッシュ９７との間隙から、気体を注入する。
【００２０】
このブラダ３は、略カップ形状であって、その開口部に設けた環状の取付フランジ部がシェル１と蓋部材２との間で液密に挟持されている。
また、ブラダ３の材質は、好ましい材料として塩素化ポリエチレンゴムを使用しているが、ブチルゴム、二トリルゴム、ウレタンゴム、エチレン・プロピレンゴム等の他のゴム状弾性体が用途に応じ適宜選択して使用される。
【００２１】
更に、蓋部材２は、略皿形状で、その中心部に、管状の液体導入孔６が設けられている。この蓋部材２の材質は、繊維状補強材が入ったポリプロピレン樹脂であるが、ウレタン樹脂、アクリル樹脂、ＡＢＳ樹脂等の他の樹脂材若しくは金属材が用途に応じ適宜選択して使用される。
【００２２】
以上のことから、本発明を実施するための最良の形態によれば、長期間使用しても安定した緩衝機能が発揮できるアキュムレータとすることができる。
【００２３】
また、本発明は上述の発明を実施するための最良の形態に限らず本発明の要旨を逸脱することなくその他種々の構成を採り得ることはもちろんである。
【図面の簡単な説明】
【００２４】
【図１】発明の実施の形態を示す断面図である。
【図２】図１の部分拡大図である。
【図３】アキュムレータ内へガスを封入する際の状態を、図２と同様に示した図である。
【図４】図１の状態から、ガス抜けが起き、ブラダにより、ガスバルブが押し上げられた状態を示した図である。
【図５】従来技術の形態を示す断面図である。
【符号の説明】
【００２５】
１  シェル
２  蓋部材
３  ブラダ
４  気体室
５  液体室
６  液体導入孔
７  頂部
８  気体封入孔
９  ガスバルブ
３１  頂部
９１  ロッド
９２  密封手段
９３  バネ手段
９４  ストッパ
９５  くびれ部
９６  止め手段
９７  ブッシュ
【図１】
2010007802.tif 000003
【図２】
2010007802.tif 000004
【図３】
2010007802.tif 000005
【図４】
2010007802.tif 000006
【図５】
2010007802.tif 000007